(57)【要約】【課題】中空桟部材に妨げられることなく、パネル部に通したセパレータのねじを直視して、このねじにホームタイのねじ孔を合わせて締め込む操作を即座に行うことができて、しかも、ツイン構造とした中空桟部材は、その一部でセパレータの鍔部を確実に支承し、ホームタイによる強力な締め付けを行っても、パネル部の鍔の当接部に変形を生じない正確な型枠形成が可能なプラスチック製型枠パネルを提供する。【解決手段】トラス状にリブ２、２ａを配した中空パネル部３と、パネル部３の裏面の両端及び中間部に設けた中空桟部材４及び５を、プラスチックにより一体成形したプラスチック製型枠パネル１において、上記中間部の中空桟部材５を、セパレータ９の鍔部１２を支承し得る間隔で一対が並設されたツイン構造としてあること。【選択図】        図１
2004332301.tif 000002
【特許請求の範囲】
【請求項１】
トラス状にリブを配した中空パネル部と、パネル部の裏面の両端及び中間部に設けた中空桟部材とを、プラスチックにより一体成形したプラスチック製型枠パネルにおいて、
上記中空桟部材の中間部のものを、セパレータの鍔部を支承し得る間隔で一対が並設されたツイン構造としてある
ことを特徴とするプラスチック製型枠パネル。
【請求項２】
ツイン構造とした中空桟部材を、パネル部の裏面の中間部へ複数組を配分設置してある
ことを特徴とする請求項１記載のプラスチック製型枠パネル。
【発明の詳細な説明】
【０００１】
【発明の属する技術分野】
本発明は、コンクリート型枠を製造するプラスチック製型枠パネルに関する。
【０００２】
【従来の技術】
従来、プラスチック製型枠パネルは、トラス状にリブを配した中空パネル部と、パネル部の裏面の両端及び中間部に設けた中空支柱とを、プラスチックにより一体成形して、中空支柱の中間部のものは、後壁の内側に一対の鉛直リブを設け、前壁にはホームタイの挿入孔があけられた構成としてある。（例えば、特許文献１参照）
【０００３】
【特許文献１】
特開平１１−１８２０２９号公報（第２頁〜第３頁、図１、図２）
【０００４】
しかしながら、前記プラスチツク製型枠パネル２４は、ホームタイ２５を中空支柱２６内へ前壁にあけた孔２７より挿し入れるため、図９に示す通りセパレータ２８のねじ２９がホームタイ２５の受座３０に隠れて見えなくなってしまう。そこで、ホームタイ２５をねじ２９へ向かって見当で進め、先端側をあちこちへ動かして、ねじ孔３１がねじ２９に合う位置を探り当てて、それから締込みを行わなければならないので、この作業に手間がかかるし、また、中空支柱２２はその両壁の間隔を、セパレータ２４の鍔部３２の直径よりも大きく形成してあるため、ホームタイ２５によって締め付けを行うとき、締結力により型枠パネル２４の鍔部３２へ当る部分が、図１０に示すような凹没変形を起こす問題点がある。
【０００５】
【発明が解決しようとする課題】
本発明は前記問題点を解消し、中空桟部材に妨げられることなく、パネル部に通したセパレータのねじを直視して、このねじにホームタイのねじ孔を合わせて締め込む操作を即座に行うことができて、しかも、ツイン構造とした中空桟部材は、その一部でセパレータの鍔部を確実に支承し、ホームタイによる強力な締め付けを行っても、パネル部の鍔の当接部に変形を生じない正確な型枠形成が可能なプラスチック製型枠パネルを提供することをその課題とする。
【０００６】
【課題を解決するための手段】
本発明は、前記問題点を解消するため、下記の構成を採用することを特徴とする。
（１）トラス状にリブを配した中空パネル部と、パネル部の裏面の両端及び中間部に設けた中空桟部材とを、プラスチックにより一体成形したプラスチック製型枠パネルにおいて、
上記中空桟部材の中間部のものを、セパレータの端座を支承し得る間隔で一対が並設されたツイン構造としてあること。
【０００７】
（２）請求項１において、ツイン構造とした中空桟部材を、パネル部の裏面の中間部へ複数組を配分設置してあること。
【０００８】
【発明の実施形態】
以下に本発明に係るプラスチック製型枠の実施形態を図面に付いて説明する。
図面各図において符号１は、プラスチック製型枠パネルを示す。この型枠パネル１は、トラス状にリブ２を配した中空パネル部３と、パネル部３の裏面の両端及び中間部に設けた中空桟部材４及び５とをプラスチックの押出成形より一体成形したものであり、上記中間部の中空桟部材５は、後記セパレータの受座を支承し得る間隔で一対が並設されたツイン構造としてある。なお、この型枠パネル１の巾、長さ等は建造物の基準や仕様に基いて適切に設定する。
【０００９】
中空パネル部３のリブは、図１〜図５等においては、トラス状に配したリブ２と垂直なリブ２ａを併設した垂直材付きのワーレントラス構造を採用している。しかし、トラス状のリブ２だけの通常のワーレントラス構造や、トラス状のリブ２を交叉させたダブルトラス構造等を採用すると、中空桟部材４、５の一体成形と相俟って、合板のパネルと厚さ及び強度をほぼ同等とした型枠パネル１の提供が可能となる。
【００１０】
中空パネル部３の裏面の両側に設けた中空桟部材４は、図１に示す通りパネル部３の側縁に添って長さ方向に設けられて、その外壁４ａはパネル部３の外面と面一をなし、中央部がやや凹み込むへ字形をなしている。また、内壁４ｂは真っ直ぐであって、パネル部３に設けた垂直リブ２ａの一つと一線状をなすように連なっていおり、パネル部３の中空部には、十字状をなすように補強リブ６が設けられる。
【００１１】
中空パネル部３の裏面の中間部に設けた中空桟部材５は、図３（ａ）に示す通り、内壁５ａ、外壁５ｂともに真っ直ぐに形成して、各々を中空パネル部３に設けた垂直リブ２ａの一つと一線状に連ならせ、内壁５ａと連なる垂直のリブ２ａの間隔を後記セパレータの鍔部の外形寸法よりも小さくすることにより、上記鍔部を中空桟部材５の内壁５ａによって支承させるものであり、内部には通常、図１に示す通りパネル部３と平行するように複数のリブ７設けるが、内壁５ａと外壁５ｂの肉厚を厚くれば上記リブ７を省いてもよい。
【００１２】
上記中空桟部材５は、その内壁５ａと連なる中空パネル部３のリブ２ａを、図３（ａ）に示す通りの垂直ではなく、図３（ｂ）に示す通り、前面側ほど対応間隔が狭まる内転びの傾斜に設けると、これらリブ２ａに連なる中空桟部材５の内壁５ａの対設間隔を広がらせて、この間隔において行うパネル連結の操作を容易にすることができる。
【００１３】
前記構成のプラスチック製型枠パネル１を用いて、図７に示す型枠８を形成するには、図４、図５、図７において符号９で示すセパレータ、符号１０で示すホームタイ、図６において符号１１で示す連結金具、図７において符号１２で示す横端太を用いる。
【００１４】
セパレータ９は、図５に示す通り相対する型枠パネル１、１の間隔を設定するものであり、両端に型枠パネル１のパネル部３の内面へ当接する鍔部１３を設け、この鍔部１３の先には、図４、図５に示す通りパネル部３にあけた孔１４より外へ出るねじ１５を設ける。
【００１５】
前記のようにパネル部３にあけてねじ１５を外へ出す孔１４は、ツイン構造とした一対の中空桟部材５の間へなるべくその中心に位置するように設け、この孔１４にねじ１５を通せば、セパレータ９の鍔部１３の一部分が、図４、図５に示す通り中空パネル１に設けたリブ２ａを介して中空桟部材５の内壁５ａで支承されるようにする。
【００１６】
ホームタイ１０は、図４、図５に示す通り一方にセパレータ９のねじ１５へ螺合させるねじ孔１６と、パネル部３へ当接させる受座１７とを設け、他方には締め付け用ねじ１８を設けて、このねじ１８へナット１９を螺合させるとともに、ナット１９の内側には横端太１２を位置ずれさせないように抑えさせる抑え部材２０を緩く嵌めてある。
【００１７】
連結金具１１は、図６に示す通りレバー２１の回動操作で固定顎２２に対して可動顎２３が進退して、両顎２２、２３により隣合う型枠パネル１の当接した中空桟部材４、４を対応面が密着するように締結する構造の汎用品を用いることが作業性の面で好ましい。しかし、少数の連結ではボルトによる連結を行ってもよい。
【００１８】
端太１２は、型枠パネル１の中空桟部材４及び５の外側へ、図７に示すように水平に添えて、型枠パネル１の抑え込みを行わせるものであり、通常は鋼製の丸パイプ、角パイプを用いて、この端太１１をホームタイ１０を挟むように上下へ配置し、抑え部材２０で安定するように抑えさせてナット１９による上下の平均した締め付けが行なわれるようする。
【００１９】
前記実施形態に示すプラスチック製型枠パネル１は、パネル部３にあけた孔１４へ、セパレータ９のねじ１５を図４、図５に示すように挿し入れると、その先端がツイン構造の中空桟部材５の内壁５ａの間へ覗くから、このねじ１５を見ながらこれに向かってホームタイ１０を進めると、そのねじ孔１６を一発でねじ１５に合わせて、即、締め込みを行うことができるので、セパレータ９とホームタイ１０の図５に示す通りの連結は、板パネルと同様に至って簡単迅速に行える。
【００２０】
セパレータ９とホームタイ１０の所要数がセットされた型枠パネル１は、外側の中空桟部材４が当接するように並べて、隣り合う中空桟部材４、４を図６に示す通り、連結金具１１で連結して所要面積を有する型枠の一面を構成する。
【００２１】
型枠８の一面が構成されたら、これを立てて置いて各型枠パネル１の中空桟部材４及び５の外側に、図７に示す通りホームタイ１０を挟むように一対の横端太１２、１２を添えて、これら横端太１２、１２に抑え部材２０を係合させ、ねじ１８に螺合したナット１９の締め付けを行うと、型枠パネル１におけるバネル部３のセパレータ９の鍔部１３に対応する部分に大きな押し付け力が作用する。
【００２２】
しかし、型枠パネル１は、ツイン構造の中空桟部材５、５を設けられて、これに中空桟部材５、５の内壁５ａが、図４、図５に示す通りパネル部３のリブ２ａを介して、セパレータ９における鍔部１３の外周部分を支承するため、パネル部３は押し付け力によく耐えて、従来のような凹没変形を生ずることなく、平面を保持して形成する型枠の平面精度を高める。
【００２３】
また、型枠パネル１にツイン構造の中空桟部材５を、図１に示す通り３組配分設置する場合は、ホームタイ９の締め付けで横端太１２を加圧するとき、締付力がパネル部へ可及的平均に加えられて精度の高い型枠の形成を可能にするとともに、パネル部を補強するためパネル部の厚さを削減するのにも寄与する。
【００２４】
【発明の効果】
請求項１の効果
（１）リブにより補強した中空パネル部と、所要数の中空桟部材とをプラスチックで一体成形したから、従来の合板製型枠パネルよりも加工し易くて、軽いため施工性が向上するだけでなく、転用回数が大幅に向上して、用済み後はリサイクルできる経済性も有する。
【００２５】
（２）中間の中空桟部材をツイン構造としたため、セパレータとホームタイとを結合する操作を板物のように簡便に素早く行うことができて、しかも、ツイン構造の中空桟部材は、パネル部のリブに連なる内壁でセパレータの鍔部を支承し、ホームタイによる型枠パネルの締め付け時も鍔部を確実に制止してパネル部に変形を生じさせるせしことがない。
【００２６】
請求項２の効果  ツイン構造の中空桟部材を、複数組は配分設置すれば、パネル部の補強がほぼ全面に対して平均に行われ、パネル部の強度を大幅に増すことになるので、パネル部の厚さを合板パネル程度まで薄くしても強度的に充分な製品の提供が可能となる。
【図面の簡単な説明】
【図１】本発明に係るプラスチック製型枠パネルの端面形状図である。
【図２】プラスチック製型枠パネルの一部分を示す斜視図である。
【図３】（ａ）（ｂ）は中空桟部材の内壁とパネル部のリブとの連なりの２タイプを示す部分断面図。
【図４】セパレータのねじへホームタイのねじ孔が容易に合せられる状態を示す断面図である。
【図５】ホームタイによる型枠パネルの締め付け後、パネル部に凹没変形を生じない状態を示す断面図である。
【図６】連結金具により型枠パネルを連結する状態を示す平面図である。
【図７】本発明の型枠パネルで形成したコンクリート型枠の一部分を省略した断面図である。
【図８】型枠パネルの組み合せ積みを行った状態を示す側面図である。
【図９】従来のプラスチック製型枠が、セパレータのねじへホームタイのねじ孔を合わせるのが困難な状態を示す説明図である。
【図１０】従来のプラスチック製型枠パネルのパネル部がホームタイの締め付けで凹没変形した状態を示す断面図である。
【符号の説明】
１  プラスチック製型枠パネル
２及び２ａ  リブ
３  パネル部
４  外側の中空桟部材
５  中間の中空桟部材
９  セパレータ
１２  セパレータの鍔部
【図１】
2004332301.tif 000003
【図２】
2004332301.tif 000004
【図３】
2004332301.tif 000005
【図４】
2004332301.tif 000006
【図５】
2004332301.tif 000007
【図６】
2004332301.tif 000008
【図７】
2004332301.tif 000009
【図８】
2004332301.tif 000010
【図９】
2004332301.tif 000011
【図１０】
2004332301.tif 000012